(57)【要約】【課題】本発明は紙幣と硬貨を分別して収容できると共に、硬貨も５００円硬貨〜１円硬貨の各種類を分別して収容できる装置を提供する。【解決手段】本発明の紙幣・硬貨分別収容具５０は、紙幣収容部５１の下部に隣接する硬貨を収容する硬貨収容部５３を有し、紙幣収容部と硬貨収容部との境界部には硬貨を通過させる開口部５１０を備えている。そして、硬貨収容部５３０はもっとも直径寸法の大きな５００円硬貨を収容する収容部５３１から順次直径寸法の小さい硬貨を収容する収容部を複数形成し、隣接する硬貨収容部を区画する区画部６１には上部に位置する収容部に収容される硬貨の直径寸法よりわずかに開口寸法を小さくした硬貨通貨孔６１０を形成する構成を具備する。【選択図】        図１
2004242831.tif 000002
【特許請求の範囲】
【請求項１】
紙幣と硬貨を別々に収容する紙幣・硬貨分別収容具であって、
紙幣を収容する紙幣収容部と、紙幣収容部の下部に隣接する硬貨を収容する硬貨収容部とを有し、紙幣収容部と硬貨収容部との境界部には硬貨を通過させる開口部を備え、
硬貨収容部はもっとも直径寸法の大きな硬貨を収容する収容部から順次直径寸法の小さい硬貨を収容する収容部を複数形成し、隣接する硬貨収容部を区画する区画部には上部に位置する収容部に収容される硬貨の直径寸法よりわずかに寸法を小さくした硬貨通過孔を形成してなる紙幣・硬貨分別収容具。
【請求項２】
前記硬貨収容部の端縁には収容部を開閉する開閉手段を備えてなる請求項１記載の紙幣・硬貨分別収容具。
【請求項３】
注文表と注文表との連結手段を備えた紙幣・硬貨分別収容具において、
前記紙幣・硬貨分別収容具は  紙幣を収容する紙幣収容部と、紙幣収容部の下部に隣接する硬貨を収容する硬貨収容部とを有し、紙幣収容部と硬貨収容部との境界部には硬貨を通過させる開口部を備え、
硬貨収容部はもっとも直径寸法の大きな硬貨を収容する収容部から順次直径寸法の小さい硬貨を収容する収容部を複数形成し、隣接する硬貨収容部を区画する区画部には上部に位置する収容部に収容される硬貨の直径寸法よりわずかに開口寸法を小さくした硬貨通貨孔を形成し、
紙幣収容部の上部の連結手段を注文表に連結し、注文表に対応する紙幣と硬貨を紙幣収容部に投入することにより、紙幣は紙幣収容部に収容され、硬貨は直径寸法の大きい順に各収容部に収容されるよう構成されてなる注文表に連結する紙幣・硬貨分別収容具。
【発明の詳細な説明】
【０００１】
【発明の属する技術分野】
本発明は紙幣や硬貨の収容具に関し、特に、紙幣と硬貨を分別して収容できる収容具に関する。
【０００２】
【従来の技術】
貨幣には紙幣と硬貨があって、貨幣の収容に際しては、紙幣と硬貨の収容場所を異ならせることにより分別させていた。たとえば特許文献１参照。
しかし、硬貨は混在して収容されるので、必要とする硬貨を取り出すに不便であった。この不便を解消するために、特許文献２に、硬貨をずらして半重ね状態で並べて収容する構成が開示されている。
【０００３】
【特許文献１】
登録実用新案第３０６０８６２号公報
【特許文献２】
特開平１１−１３７３１９号公報
【０００４】
【発明が解決しようとする課題】
しかし、これらの貨幣の収容においては、支払い時には硬貨を取り出していくらの硬貨であるかを確認する必要があった。
そこで、本発明は紙幣と硬貨を分別して収容できると共に、硬貨も５００円硬貨〜１円硬貨の各種類を分別して収容できる装置を提供するものである。
【０００５】
【課題を解決するための手段】
本発明の紙幣と硬貨を別々に収容する紙幣・硬貨分別収容具は、紙幣収容部の下部に隣接する硬貨を収容する硬貨収容部とを有し、紙幣収容部と硬貨収容部との境界部には硬貨を通過させる開口部を備えている。そして、硬貨収容部はもっとも直径寸法の大きな５００円硬貨を収容する収容部から順次直径寸法の小さい硬貨を収容する収容部を複数形成し、隣接する硬貨収容部を区画する区画部には上部に位置する収容部に収容される硬貨の直径寸法よりわずかに開口寸法を小さくした硬貨通貨孔を形成する構成を具備する。
また各硬貨収容部の端縁には収容部を開閉する開閉手段を備えている。
【０００６】
本発明の注文表と連結した紙幣・硬貨分別収容具は、紙幣を収容する紙幣収容部と、紙幣収容部の下部に隣接する硬貨を収容する硬貨収容部とを有し、紙幣収容部と硬貨収容部との境界部には硬貨を通過させる開口部を備え、硬貨収容部はもっとも直径寸法の大きな硬貨を収容する収容部から順次直径寸法の小さい硬貨を収容する収容部を複数形成し、隣接する硬貨収容部を区画する区画部には上部に位置する収容部に収容される硬貨の直径寸法よりわずかに開口寸法を小さくした硬貨通貨孔を形成している。そして、紙幣収容部の上部には注文表への連結手段を有し、注文表に対応する紙幣と硬貨を紙幣収容部に投入することにより、紙幣は紙幣収容部に収容され、硬貨は直径寸法の大きい順に各収容部に収容されるよう構成されている。
【０００７】
【発明の実施の形態】
本発明の紙幣・硬貨分別収容具の実施の形態を図面を参照して詳述する。
図１は本発明に係る紙幣・硬貨分別収容具の斜視説明図である。なお、説明の都合で片面を透視した形態を示している。
紙幣・硬貨分別収容具５０は、紙幣収容部５１、硬貨収容部５３、および取り付け部５５を備えている。
紙幣収容部５１は上部を開口５１４とする収容袋体をなしている。紙幣収容部５１と硬貨収容部との境界部分の中央部分は開口されており、硬貨を通過させる開口部５１０が形成されている。硬貨の通過開口部５１０の両側は連結した紙幣支持部５１２を設けている。
【０００８】
硬貨収容部５３は区画部により、内部を第一の収容部５３１、第二の収容部５３２、第三の収容部５３３、第四の収容部５３４、第五の収容部５３５に区画されている。
第一の収容部５３１と第二の収容部５３２との境界部には第１の区画部６１が配設されている。第１の区画部６１には孔幅寸法Ｗ１とする硬貨通過孔６１０が設けられている。硬貨通過孔６１０の孔幅寸法Ｗ１は５００円硬貨の直径寸法よりわずかに小さい寸法とし、複数配設される。第二の収容部５３２と第三の収容部５３３との境界部には第２の区画部６２が配設されている。第２の区画部６２には孔幅寸法Ｗ２とする硬貨通過孔６２０が設けられている。硬貨通過孔６２０の孔幅寸法Ｗ２は１０円硬貨の直径寸法よりわずかに小さい寸法とし、複数配設される。同様にして、第三の収容部５３３と第四の収容部５３４との境界部には第３の区画部６３が配設され、第３の区画部６３には孔幅寸法Ｗ３とする硬貨通過孔６３０が設けられている。硬貨通過孔６３０の孔幅寸法３１は１００円硬貨の直径寸法よりわずかに小さい寸法とし、複数配設される。第四の収容部５３４と第五の収容部５３５との境界部には第４の区画部６４が配設され、孔幅寸法Ｗ４とする硬貨通過孔６４０が複数設けられている。硬貨通過孔６４０の孔幅寸法Ｗ４は５円硬貨の直径寸法よりわずかに小さい寸法とし、複数配設される。
【０００９】
このように構成される紙幣・硬貨分別収容具５０は、開口５１４より紙幣を開いた状態で入れると紙幣の下端縁が紙幣支持部５１２に支持されて収容部５１内に収容される。
また、同じように開口５１４より硬貨を入れると、重量のある硬貨は、硬貨の通過開口部５１０から第一の収容部５３１に落下する。第一の収容部５３１に落下した硬貨のうち、孔幅寸法Ｗ１より大きな直径を有する硬貨は第一の収容部５３１にとどまり、孔幅寸法Ｗ１より直径の小さい硬貨は硬貨通貨孔６１０から第二の収容部５３２内に落下する。第二の収容部５３２に落下した硬貨のうち、孔幅寸法Ｗ２より大きな直径を有する硬貨は第二の収容部５３２にとどまり、孔幅寸法Ｗ２より直径の小さい硬貨は硬貨通貨孔６２０から第三の収容部５３３内に落下する。同様にして、第三の収容部５３３には孔幅寸法Ｗ３より大きな直径を有する硬貨が収容され、孔幅寸法Ｗ３より直径の小さい硬貨は硬貨通貨孔６３０から第四の収容部５３４内に落下する。第四の収容部５３４に落下した硬貨は、孔幅寸法Ｗ４より大きな直径を有する硬貨が第四の収容部５３４に収容され、孔幅寸法Ｗ４より直径の小さい硬貨が硬貨通貨孔６４０から第五の収容部５３５内に落下して収容される。
【００１０】
このように、紙幣・硬貨分別収容具５０の開口５１４より入れられた紙幣と硬貨において、紙幣は紙幣収容部５１に収容される。硬貨は、孔幅寸法Ｗ１より大きな直径を有する硬貨、たとえば５００円硬貨は第一の収容部５３１に、孔幅寸法Ｗ２より大きな直径を有する硬貨、たとえば１０円硬貨は第二の収容部５３２に、孔幅寸法Ｗ３より大きな直径を有する硬貨、たとえば１００円硬貨は第三の収容部５３３に、孔幅寸法Ｗ４より大きな直径を有する硬貨、たとえば５円硬貨は第四の収容部５３４に、その他の孔幅寸法Ｗ４より小さい硬貨、たとえば５０円硬貨、１円硬貨は第五の収容部５３５に収容される。
【００１１】
以上のように、この紙幣・硬貨分別収容具５０は紙幣と硬貨を混在した状態で開口５１４から収容するだけで、紙幣と５００円硬貨、１００円硬貨、５０円硬貨、１０円硬貨、５円および１円硬貨が分別されて収容される。
そして、各収容部５３１〜収容部５３５の片側に収容部を開閉できる開閉部７０を設けることにより、分別されている硬貨を別々に集金できる。
また、紙幣・硬貨分別収容具５０の上端に取り付け部５５を延設し、止め具７３を取り付けることにより、収容部に紙幣や硬貨を分別収容した状態で、巻き取って止め具７３で係止すると、図２に示すように持ち運びが容易となる。
【００１２】
実施例１
本発明の紙幣・硬貨分別収容具５０は、集金作業において有効である。
そこで、この実施例では、旅行先における電車やバスなどの乗り物内での小口の集金を例として説明する。
たとえば旅行会社が催す旅行におけるオプションツアーの注文・費用の集計・集金などの場合。
添乗員は回覧板１０に注文表１００を取り付け、顧客に回覧する。回覧板１０には電卓２０、筆記用具３０などを取り付けている。符号３１は筆記用具の押さえ具である。
【００１３】
注文表１００は、たとえば、縦欄に旅行参加者の氏名（Ａ，Ｂ，Ｃ・・・）、横欄にはオプションに行うツアーの名称（Ｏ，Ｐ，Ｑ，Ｒ・・・）と、費用などを記入する欄を設けている。
回覧される注文表１００を見て、顧客は参加を希望するツアーを選択する。たとえば図面に示すように、顧客ＡはツアーＰを、顧客ＢはツアーＯを、顧客ＣはツアーＱをそれぞれ選択し、筆記用具３０にて相当する欄に丸印を記入する。また、顧客Ｄは、所要時間が短いツアーＯと、ツアーＲを選択した。
顧客全員に回覧され、ツアーの選択が終了したとき、添乗員は各顧客に対する費用を計算する。このとき、回覧板１０に取り付けてある電卓２０を利用しても良い。
【００１４】
添乗員はツアーごとの人数を携帯電話などの通信手段でツアーの主催者に連絡予約をする。予約の終了が確認できると、顧客ごとに注文表１００に記入されているツアー代金の徴収を実行する。
このとき、回覧板１０にはその下端縁に紙幣・硬貨分別収容具５０の取り付け具（図示せず）を配設しておく。そして、紙幣・硬貨分別収容具５０に延設されている取り付け部５５を回覧板１０の取り付け具に取り付け、連結する。添乗員（集金員）は注文表１００に記入されている選択事項に沿って、顧客ＡからはツアーＯに参加する代金６３００円を徴収する。このとき、添乗員は５千円札、千円札、百円硬貨が混在した状態の代金を、紙幣・硬貨分別収容具５０の開口５１４から入れると、紙幣は５１に収容され、１００円硬貨は硬貨通過路５１０から第一の収容部５３１に落下し、さらに、硬貨通貨孔６１０、硬貨通貨孔６２０を通過して第三の収容部５３３に落下し収容される。
同様にして、顧客Ｂ，Ｃ，Ｄからの集金においても、紙幣は紙幣収容部５１に硬貨は分別されてそれぞれの収容部に収容される。
【００１５】
つり銭が必要なときは、所望する硬貨が収容されている収容部の開閉部７０を開き、必要とする枚数の硬貨を取り出すことができる。また、集金が終了した紙幣・硬貨分別収容具５０は回覧板１０に取り付けた状態で巻き、収納する（図６参照）。あるいは回覧板から外して、回覧板とは別体として図２に示すように巻き取ることにより、持ち運びが容易となる。
【００１６】
以上のように、バスや電車など車体の振動により集金人の行動が不安定な中での集金作業において、本発明の紙幣・硬貨分別収容具を注文表などと合体させて利用することにより、作業を容易に安全に行うことができる。
【００１７】
【発明の効果】
本発明の紙幣・硬貨分別収容具は、紙幣と硬貨を分別して収容できると共に、硬貨は５００円硬貨〜１円硬貨の各種類を分別して収容できる。
【図面の簡単な説明】
【図１】本発明の紙幣・硬貨分別収容具の斜視説明図。
【図２】本発明の紙幣・硬貨分別収容具を巻き取った斜視図。
【図３】注文表を取り付けた回覧板の平面図。
【図４】注文表の説明図。
【図５】回覧板に紙幣・硬貨分別収容具を取り付けた平面図。
【図６】回覧板に取り付けた紙幣・硬貨分別収容具を巻き取った状態を示す平面図。
【符号の説明】
１０  回覧板
５０  支配・硬貨分別収容具
５１  紙幣収容部
５３  硬貨収容部
５５  取り付け部
６１，６２，６３，６４  区画部
７０  開閉手段
５１０  通貨の通過開口部
５１４  開口部
５３１，５３２，５３３，５３４，５３５  硬貨の収容部
６１０，６２０，６３０，６４０  硬貨通過孔
【図１】
2004242831.tif 000003
【図２】
2004242831.tif 000004
【図３】
2004242831.tif 000005
【図４】
2004242831.tif 000006
【図５】
2004242831.tif 000007
【図６】
2004242831.tif 000008